(57)【要約】【課題】学習効果を向上させたかるたを提供する。【解決手段】読み札１Ｒおよび取り札１Ｔの複数の対を含み、各々の対において、読み札１Ｒに対応する絵柄ＮＦが取り札１Ｔに記載されているかるたであって、読み札１Ｒおよび取り札１Ｔの少なくともいずれかに、装置１００で読み取ることによって、装置１００を介して取り札１Ｔの絵柄ＮＦに関連する情報を提示するための情報コードＩＣが付されている。【選択図】図１
2017164407.tif 000002
【特許請求の範囲】
【請求項１】
読み札および取り札の複数の対を含み、各々の前記対において、前記読み札に対応する絵柄が前記取り札に記載されているかるたであって、
前記読み札および前記取り札の少なくともいずれかに、装置で読み取ることによって、前記装置を介して前記取り札の前記絵柄に関連する情報を提示するための情報コードが付されている、かるた。
【請求項２】
前記絵柄に関連する前記情報の形式が、音声または音声付きの動画である、請求項１に記載のかるた。
【請求項３】
前記情報コードの形式が、二次元コード、一次元コードおよび文字列のいずれかである、請求項１または２のいずれかに記載のかるた。
【請求項４】
前記二次元コードが、ＱＲコード（登録商標）、DataMatrixまたはPDF417である、請求項３に記載のかるた。
【請求項５】
前記一次元コードがバーコードまたはカスタマバーコードである、請求項３に記載のかるた。
【請求項６】
前記絵柄が各国の国旗であり、前記情報が、前記国旗に対応する国に関連する情報である、請求項１から５のいずれかに記載のかるた。
【請求項７】
前記国に関連する情報が、国旗、国の説明、国の位置、国名、首都、面積、人口、国歌、主要言語および公用語による所定の文章からなる群から選択される、少なくとも１つの情報を含む、請求項６に記載のかるた。
【請求項８】
前記公用語による前記所定の文章が、「がんばれ」、「こんにちは」および「ありがとう」のいずれかを意味する、請求項７に記載のかるた。
【請求項９】
請求項１から８のいずれかに記載されている前記かるたの前記情報コードを読み取ることによって、前記絵柄に関連する前記情報を提示する装置であって、
前記情報コードを読み取る読取手段と、
前記読取手段が読み取った前記情報コードに対応する前記情報を取得する取得手段と、
前記取得手段が取得した前記情報を提示する提示手段とを含む、装置。
【請求項１０】
請求項１から８のいずれかに記載されている前記かるたの前記情報コードを読み取ることによって、前記絵柄に関連する前記情報を提示するためのプログラムであって、
コンピュータに、
前記情報コードを読み取る読取機能と、
前記読取機能が読み取った前記情報コードに対応する前記情報を取得する取得機能と、
前記取得機能が取得した前記情報を提示する提示機能とを実現させる、プログラム。
【請求項１１】
請求項１０に記載のプログラムを記録した、コンピュータ読み取り可能な記録媒体。
【発明の詳細な説明】
【技術分野】
【０００１】
本発明は、情報コードが付されているかるたに関し、より詳細には、取り札の絵柄に関連する情報を提示するための情報コードが付されているかるた、情報コード処理装置、プログラムおよび記録媒体に関する。
【背景技術】
【０００２】
かるた遊びは子供が文字を覚えるための遊びであり、従来から「いろはかるた」としても知られている。近年では、平仮名の五十音を覚えるための「五十音かるた」だけではなく、様々なテーマについての学習かるたが考案されている。例えば下記特許文献１には、社会科学習かるたが開示されている。
【先行技術文献】
【特許文献】
【０００３】
【特許文献１】特開平１０−３１９８３５号公報
【発明の概要】
【発明が解決しようとする課題】
【０００４】
特許文献１のかるたでは、社会科の歴史、地理、公民の人物、地名などの用語やその説明を短歌形式で記載することにより、暗記事項に関連性を持たせて学習効果を向上させている。
【０００５】
しかしながら、近年の子供の多くは、昔ながらの遊びに興味を示さず飽きっぽい傾向があり、かるた遊びが長続きしない。よって、かるた遊びをする子供の興味をより強く惹き付けるためのさらなる工夫や、暗記事項により強い関連性を持たせるためのさらなる工夫が求められている。
【０００６】
本発明は、上記課題を解決するためになされたものであり、その目的は、学習効果を向上させたかるたを提供することにある。
【課題を解決するための手段】
【０００７】
上記目的を達成するための本発明は、以下に示す態様を含む。
（項１）
読み札および取り札の複数の対を含み、各々の前記対において、前記読み札に対応する絵柄が前記取り札に記載されているかるたであって、
前記読み札および前記取り札の少なくともいずれかに、装置で読み取ることによって、前記装置を介して前記取り札の前記絵柄に関連する情報を提示するための情報コードが付されている、かるた。
（項２）
前記絵柄に関連する前記情報の形式が、音声または音声付きの動画である、項１に記載のかるた。
（項３）
前記情報コードの形式が、二次元コード、一次元コードおよび文字列のいずれかである、項１または２のいずれかに記載のかるた。
（項４）
前記二次元コードが、ＱＲコード（登録商標）、DataMatrixまたはPDF417である、項３に記載のかるた。
（項５）
前記一次元コードがバーコードまたはカスタマバーコードである、項３に記載のかるた。
（項６）
前記絵柄が各国の国旗であり、前記情報が、前記国旗に対応する国に関連する情報である、項１から５のいずれかに記載のかるた。
（項７）
前記国に関連する情報が、国旗、国の説明、国の位置、国名、首都、面積、人口、国歌、主要言語および公用語による所定の文章からなる群から選択される、少なくとも１つの情報を含む、項６に記載のかるた。
（項８）
前記公用語による前記所定の文章が、「がんばれ」、「こんにちは」および「ありがとう」のいずれかを意味する、項７に記載のかるた。
（項９）
項１から８のいずれかに記載されている前記かるたの前記情報コードを読み取ることによって、前記絵柄に関連する前記情報を提示する装置であって、
前記情報コードを読み取る読取手段と、
前記読取手段が読み取った前記情報コードに対応する前記情報を取得する取得手段と、
前記取得手段が取得した前記情報を提示する提示手段とを含む、装置。
（項１０）
項１から８のいずれかに記載されている前記かるたの前記情報コードを読み取ることによって、前記絵柄に関連する前記情報を提示するためのプログラムであって、
コンピュータに、
前記情報コードを読み取る読取機能と、
前記読取機能が読み取った前記情報コードに対応する前記情報を取得する取得機能と、
前記取得機能が取得した前記情報を提示する提示機能とを実現させる、プログラム。
（項１１）
項１０に記載のプログラムを記録した、コンピュータ読み取り可能な記録媒体。
【発明の効果】
【０００８】
本発明によると、かるたに付されている情報コードを用いることにより、取り札の絵柄に関連する情報を遊戯者に提示することができる。これにより、遊戯者の興味をより強く惹き付けることができ、暗記事項により強い関連性を持たせることができ、かるた遊びの学習効果を向上させることができる。
【図面の簡単な説明】
【０００９】
【図１】本発明の実施の形態に係る情報コード付きかるたの読み札（文字札）１Ｒの一例を示す図である。
【図２】本発明の実施の形態に係る情報コード付きかるたの取り札（絵札）１Ｔの一例を示す図である。
【図３】本発明の実施の形態に係る情報コード付きかるたの遊び方の一例を説明するための図である。
【図４】本発明の実施の形態に係る情報コード付きかるたの遊び方の一例を説明するための図である。
【図５】本発明の実施の形態に係るユーザ装置１００に、読み込んだ情報コードＩＣに対応する国の情報が提示される際の提示態様の一例を示す図である。
【図６】本発明の実施の形態に係るユーザ装置１００のハードウェア構成を示すブロック図である。
【図７】本発明の実施の形態に係る演算装置１０の機能を説明するためのブロック図である。
【図８】本発明の実施の形態に係る演算装置１０が処理するデータ間の参照関係を説明するための模式図である。
【図９】本発明の実施の形態に係る演算装置１０が行うデータ処理の手順を示すフローチャートである。
【発明を実施するための形態】
【００１０】
以下、本発明の実施の形態を、添付の図面を参照して詳細に説明する。なお、以下の説明および図面において、同じ符号は同じまたは類似の構成要素を示すこととし、よって、同じまたは類似の構成要素に関する説明を省略する。
【００１１】
本実施形態では、情報コード付きかるたは、国際連合に加盟している加盟国または地域の約２００ヶ国の国旗をテーマにした国旗かるたであり、取り札の絵柄に関連する情報は、国旗に対応する国に関連する情報であり、特にその国の公用語による所定の文章の、その公用語を使用しているネイティブの発音の音声である。
【００１２】
図１および図２は、本発明の実施の形態に係る情報コード付きかるたの一例を示す図である。図１は読み札（文字札）１Ｒを示しており、表側を（ａ）に裏側を（ｂ）に示す。図２は取り札（絵札）１Ｔを示しており、表側を（ａ）に裏側を（ｂ）に示す。図１および図２では、一例としてトンガ王国の読み札１Ｒおよび取り札１Ｔのペアを図示している。
【００１３】
図１を参照すると、読み札１Ｒの表側には、国旗ＮＦと、国旗ＮＦに対応する国に関連する情報と、情報コードＩＣとが記載されている。国に関連する情報は、例えば、国の説明２と、国の位置３と、国名４と、首都５と、面積６と、人口７と、主要言語８（公用語８）と、公用語による所定の文章９とを含むことができる。本実施形態では、主要言語８に記載の言語は公用語であり、所定の文章９は「がんばれ」９ａ、「こんにちは」９ｂおよび「ありがとう」９ｃの３つであり、情報コードＩＣはＱＲコード（登録商標）である。
【００１４】
図２を参照すると、取り札１Ｔの表側には、読み札１Ｒの国に対応する国旗ＮＦが記載されている。このように、１つの国について読み札１Ｒおよび取り札１Ｔのペアが１組存在する。そして、一例として挙げたトンガ王国以外の他の約２００ヶ国のそれぞれの国についても同様のペアが約２００組存在し、読み札１Ｒおよび取り札１Ｔの合計約２００組のペアが国旗かるたを構成している。
【００１５】
図３および図４は、本発明の実施の形態に係る情報コード付きかるたの遊び方の一例を説明するための図である。
【００１６】
本発明の実施の形態に係る情報コード付きかるたを用いた遊び方の一例を説明する。まず、図３に示すように、ペアを構成している読み札１Ｒおよび取り札１Ｔのうち、各国の取り札１Ｔを表側を向けてテーブル上に並べる。図示する例では、日本、カメルーン共和国、オランダ王国、デンマーク王国、トンガ王国の複数の取り札１Ｔが並べられている。参加者は１人の読み手と複数の取り手に分かれる。読み手は、複数の読み札１Ｒの中から一枚を選び、選んだ読み札１Ｒに記載されている、国に関連する情報（例えば国名４）を読み上げる。取り手は、読み上げられた国名４に対応する国旗ＮＦが記載されている取り札１Ｔを早い者勝ちで取る。一番先に対応する取り札１Ｔを取った取り手が、その取り札１Ｔを取得することができる。例えば読み手が国名「トンガ王国」を読み上げた場合には、図３中に破線で囲むトンガ王国の取り札１Ｔを取った取り手が、そのトンガ王国の取り札１Ｔを自分の持ち札とする。その後、読み上げる国名４を変えて、テーブル上の取り札１Ｔが全て無くなるまでこれら手順を繰り返し、最終的に最も多くの枚数の取り札１Ｔを取得した取り手を勝者とする。
【００１７】
読み手が読み上げた国や取り手が取り札１Ｔを取得した国に興味がある場合には、図４に示すように、例えばユーザ装置１００の撮像部１８を用いて、興味を持った国の読み札１Ｒに記載されている情報コードＩＣを撮像し情報コードＩＣを読み込むと、図５に示すように、その国に関連する情報をユーザ装置１００に提示することができる。
【００１８】
図５は、本発明の実施の形態に係るユーザ装置１００に、読み込んだ情報コードＩＣに対応する国の情報が提示される際の提示態様の一例を示す図である。例えば例示する図５の態様では、ユーザ装置１００の表示部１７に、読み込んだ情報コードＩＣに対応する国の国旗ＮＦと、国名４と、公用語による３つの所定の文章９である「がんばれ」９ａ、「こんにちは」９ｂおよび「ありがとう」９ｃとが表示されている。また、表示部１７には、これら３つの所定の文章９ａ、９ｂ、９ｃのそれぞれに対応する再生ボタン１６ａ、１６ｂおよび１６ｃが表示されている。表示部１７上の例えば再生ボタン１６ａがタップ操作されると、再生ボタン１６ａに対応する文章９ａ「がんばれ」の、トンガ王国の公用語（トンガ語）による発音を録音した音声データ３３ａがスピーカ１９を通して再生される。
【００１９】
図６は、本発明の実施の形態に係るユーザ装置１００のハードウェア構成を示すブロック図である。ユーザ装置１００は、演算装置１０と、入力部１６と、表示部１７と、撮像部１８と、スピーカ１９とを備える。本実施形態では、ユーザ装置１００は、カメラ付きのスマートフォンである。任意の機能として、ユーザ装置１００は、インターネット２０を介して外部サーバ３０と接続することもできる。
【００２０】
演算装置１０は、例えば汎用コンピュータで構成されており、後述するデータ処理を行うＣＰＵ１１と、データ処理の作業領域に使用するメモリ１２と、処理データを記録する記録部１３と、各部の間でデータを伝送するバス１４と、外部機器とのデータの入出力を行うインタフェース部１５（以下、Ｉ／Ｆ部と記す）とを備えている。
【００２１】
入力部１６、表示部１７、撮像部１８およびスピーカ１９は、演算装置１０に接続されている。本実施形態では、入力部１６と表示部１７とは一体化されてタッチパネル式の表示装置として構成されており、撮像部１８はＣＭＯＳイメージセンサまたはＣＣＤイメージセンサ等の撮像素子で構成されている。
【００２２】
以下の説明においては、特に断らない限り、演算装置１０が行う処理は、記録部１３またはメモリ１２に格納されたプログラムに基づいて、実際には演算装置１０のＣＰＵ１１が行う処理を意味する。ＣＰＵ１１はメモリ１２を作業領域として必要なデータ（処理途中の中間データ等）を一時記憶し、記録部１３に演算結果等の長期保存するデータを適宜記録する。
【００２３】
また、演算装置１０は、以下の図９で説明するステップＳ１〜Ｓ３の処理を行うために、本発明に係るプログラムを、例えば実行形式（例えばプログラミング言語からコンパイラにより変換されて生成される）で記録部１３に予め記録しており、演算装置１０は、記録部１３に記録したプログラムを使用して処理を行う。
【００２４】
図７は、本発明の実施の形態に係る演算装置１０の機能を説明するためのブロック図である。演算装置１０は、情報コード読取部２１と、関連情報取得部２２と、関連情報提供部２３とを備える。これらの機能ブロックは、本発明に係るプログラムを演算装置１０の記録部１３またはメモリ１２にインストールし、このプログラムをＣＰＵ１１が実行することにより実現される。特許請求の範囲に記載の読取手段、取得手段および提供手段が、図７に示す情報コード読取部２１、関連情報取得部２２および関連情報提供部２３にそれぞれ対応する。
【００２５】
また、演算装置１０は、各々の国に関連する情報として、国情報データ３１と、音声情報データ３２と、音声データ３３とを、電子データの形式で記録部１３に予め記録している。
【００２６】
図８は、本発明の実施の形態に係る演算装置１０が処理するデータ間の参照関係を説明するための模式図である。図示する例では、国番号「００１」の国名「トンガ王国」の国情報データ３１、音声情報データ３２および音声データ３３のファイル名が例示されている。
【００２７】
国情報データ３１は各々の国毎に作成されるデータであり、国に関連する情報として、本実施形態では、国情報データ３１は、国番号と、国名４と、国の説明２と、首都５と、面積６と、人口７と、主要言語８と、公用語による所定の文章９とを含んでおり、所定の文章９は、「がんばれ」９ａ、「こんにちは」９ｂおよび「ありがとう」９ｃの３つである。
【００２８】
音声情報データ３２は、各々の主要言語８の言語コード毎に、所定の文章９の数に応じて作成されるデータである。本実施形態では、各言語コード毎に３つの音声情報データ３２ａ、３２ｂ、３２ｃが作成されており、音声情報データ３２ａ、３２ｂ、３２ｃは、主要言語８の言語コードと、言語名と、公用語による所定の文章９ａ、９ｂ、９ｃと、文章９ａ、９ｂ、９ｃの公用語によるテキスト表記と、文章９ａ、９ｂ、９ｃの日本語のカタカナによる発音表記と、文章９ａ、９ｂ、９ｃの公用語による発音を録音した音声データの保存ファイル名とを含んでいる。
【００２９】
音声データ３３ａ、３３ｂ、３３ｃは、各々の音声情報データ３２ａ、３２ｂ、３２ｃ毎に作成されるデータであり、その公用語を使用しているネイティブによる所定の文章９ａ、９ｂ、９ｃの各々の発音を録音したデータである。音声データ３３ａ、３３ｂ、３３ｃの保存ファイル名としては、例えば演算装置１０の記録部１３内のフォルダパスを共に用いて、“/foo/bar/00101.mp3”、“/foo/bar/00102.mp3”および“/foo/bar/00103.mp3”等とすることができる。
【００３０】
図９は、本発明の実施の形態に係る演算装置１０が行うデータ処理の手順を示すフローチャートである。なお、図７に示す情報コード読取部２１、関連情報取得部２２および関連情報提供部２３により、図９に示すステップＳ１、Ｓ２およびＳ３の処理がそれぞれ実行される。
【００３１】
ステップＳ１では、読み札１Ｒに記載されている情報コードＩＣを読み取る。例えばユーザが、ユーザ装置１００の撮像部１８を、読み札１Ｒに記載されている情報コードＩＣにかざすことにより、情報コードＩＣが撮像されて演算装置１０に読み込まれる。撮像した情報コードＩＣには、読み札１Ｒの国に対応する国番号が含まれている。例えば国名「トンガ王国」の読み札１Ｒの情報コードＩＣを撮像した場合、撮像した情報コードＩＣには、トンガ王国を意味する国番号「００１」が含まれており、演算装置１０は国番号「００１」の情報を取得する。本実施形態では、情報コードＩＣはＱＲコードであり、公知のＱＲコードリーダのプログラムを用いることにより、ステップＳ１の手順を行うことができる。
【００３２】
ステップＳ２では、読み取った情報コードＩＣに対応する音声データ３３を取得する。演算装置１０は、各国の国情報データ３１のうち、国番号「００１」に対応する国の国情報データ３１を参照し、その参照している国情報データ３１に含まれている国に関連する情報を、例えば図５に例示するように表示部１７に表示する。
【００３３】
ここで、例えば表示部１７上の再生ボタン１６ａがユーザによりタップ操作されると、演算装置１０は、再生ボタン１６ａに対応する文章９ａのネイティブ発音の再生が指示されたと判断する。そして、演算装置１０は、情報コードＩＣから取得した国番号の情報と、入力部１６を介して入力された文章９ａの指定とに基づいて、再生しようとする音声データ３３ａを決定し、音声データ３３ａを取得する。
【００３４】
例えば国名「トンガ王国」を意味する国番号「００１」に対応する国情報データ３１を参照すると、主要言語８の言語コードとして「トンガ語：ｔｏｎ」が指定されており、また、再生ボタン１６ａには、所定の文章９として「がんばれ」９ａが対応付けられている。演算装置１０は、言語コード「トンガ語：ｔｏｎ」が記載されている３つの音声情報データ３２ａ、３２ｂおよび３２ｃのうち、文章９ａ「がんばれ」が含まれている音声情報データ３２ａを参照し、音声情報データ３２ａに記載されている音声データの保存ファイル名“/foo/bar/00101.mp3”を参照することにより、再生しようとする音声データを音声データ３３ａに決定する。演算装置１０は、保存ファイル名“/foo/bar/00101.mp3”から音声データ３３ａを特定し、記録部１３に予め記録されている音声データ３３ａを取得する。
【００３５】
ステップＳ３では、取得した音声データ３３を再生する。演算装置１０は、取得した音声データ３３ａを公知の音楽再生プログラムを用いて再生し、スピーカ１９を介して再生音を出力する。再生される音声データは、その公用語を使用しているネイティブの発音であり、日本語のカタカナによる発音表記「レレ  オマ」ではわからない、文章９ａの公用語によるテキスト表記「Ｌｅｌｅ  ｏｍａ」の正確なイントネーションを聞くことができる。
【００３６】
以上、本発明によると、かるたに付されている情報コードを用いることにより、取り札の絵柄に関連する情報を遊戯者に提示することができる。これにより、遊戯者の興味をより強く惹き付けることができ、暗記事項により強い関連性を持たせることができ、かるた遊びの学習効果を向上させることができる。特に、取り札の絵柄に関連する情報を音声または動画で提供することにより、遊戯者の興味をより一層強く惹き付けることができる。
【００３７】
（付記事項）
以上、本発明を特定の実施の形態によって説明したが、本発明は上記した実施の形態に限定されるものではない。
【００３８】
上記実施の形態では、情報コードＩＣは読み札１Ｒの表側に記載されているが、情報コードＩＣの記載位置はこれに限定されず、情報コードＩＣは取り札１Ｔの表側に記載されていてもよく、読み札１Ｒまたは取り札１Ｔの裏側に記載されていてもよい。
【００３９】
上記実施の形態では、情報コードＩＣは二次元コードであるＱＲコードであるが、ＱＲコード以外の他の二次元コードであってもよい。他の二次元コードの例としては、例えばマトリックス式のDataMatrixや、スタック式のPDF417が挙げられる。または、情報コードＩＣは、バーコード等の一次元コードであってもよく、文字列の形式であってもよい。例えば情報コード読取部２１をＯＣＲ（Optical Character Recognition）機能と組み合わせることにより、演算装置１０は文字列の形式の情報コードＩＣを読み取ることができる。バーコードの規格の例としては、例えばJAN8、CODE39、ITF、NW-7、CODE128などが挙げられる。バーコード以外の他の一次元コードの例としては、例えば郵便事業で使用されているカスタマバーコード（日本国外では“Intelligent Mail barcode”）が挙げられる。カスタマバーコードは、バーの縦方向の長さや突き出し方向が異なるロングバー、セミロングバー（上）、セミロングバー（下）およびタイミングバーの４種類のバーで構成されるバーコードである。
【００４０】
上記実施の形態では、記載されている情報コードＩＣの数は１つであるが、記載する情報コードＩＣの数は複数であってもよい。すなわち、提示しようとする国に関連する情報毎に情報コードＩＣを記載してもよい。例えば２つの情報コードＩＣを読み札１Ｒの表側に記載し、一方の情報コードＩＣを、公用語による所定の文章「がんばれ」９ａに対応する音声データ３３ａの再生用とし、他方の情報コードＩＣを、その国を紹介する内容の動画データの再生用としてもよい。
【００４１】
上記実施の形態では、情報コード付きかるたは国旗かるたであるが、取り札１Ｔに記載する絵柄は国旗に限定されず、情報コード付きかるたは、例えば全国４７都道府県の県鳥や県花、県のマスコットキャラクターをテーマにした、県鳥かるたや県花かるた、県のマスコットキャラクターかるたであってもよい。読み札１Ｒと取り札１Ｔとでペアを構成する関係であれば、読み札１Ｒに対応する絵柄が取り札１Ｔに記載されている他の学習かるたであってもよい。
【００４２】
上記実施の形態では、情報コード付きかるたは国旗かるたであり、国旗は一般に彩色済みのものが想定されているが、どの国であるかが判別できる限り、国旗かるたの国旗部分は無彩色（すなわち塗り絵）であってもよい。
【００４３】
国に関連する情報の形式はテキスト（文字列）形式や音声形式に限定されず、音声付きまたは音声無しの動画形式であってもよい。
【００４４】
国に関連する情報は上記したものに限定されず、例えば国歌や過去のスポーツイベントの成績等を含むことができ、情報コードＩＣを読み取った際に提示するその国に関連する情報として、その国の国歌の音声データを再生してもよく、その国の過去のスポーツイベントの成績を紹介する内容の動画データを再生してもよい。また、音声データや動画データの再生に代えて、演算装置１０がインターネット２０を介してＧｏｏｇｌｅ等の検索サイトに接続し、「国名」と「スポーツイベント」とを含む文字列を検索キーワード（検索クエリー）として検索を行い、検索結果の動画リストをユーザ装置１００の表示部１７に表示してもよい。
【００４５】
上記実施の形態では、公用語による所定の文章９は、上記した「がんばれ」９ａ、「こんにちは」９ｂおよび「ありがとう」９ｃの３つとしているが、公用語による所定の文章９は上記した３つ以外にも、例えば「はじめまして」や「さようなら」等の日常会話の文章や種々の会話の文章であってもよく、文章９の数も少なくとも１つあればよく３つ以上であってもよい。
【００４６】
上記実施の形態では、演算装置１０は一体の装置として実現されているが、演算装置１０は一体の装置である必要はなく、ＣＰＵ１１、メモリ１２、記録部１３等が別所に配置され、これらがネットワークで接続されていてもよい。演算装置１０と、入力部１６と、表示部１７と、撮像部１８と、スピーカ１９とについても、一ヶ所に配置される必要は必ずしもなく、それぞれ別所に配置されて互いにネットワークで通信可能に接続されていてもよい。
【００４７】
上記実施の形態では、情報コード読取部２１、関連情報取得部２２および関連情報提供部２３の各機能ブロックは、単一のＣＰＵ１１で実行されているが、これら各機能ブロックは単一のＣＰＵ１１で実行される必要は必ずしもなく、複数のＣＰＵで分散して処理されてもよい。
【００４８】
上記実施の形態では、ステップＳ１〜Ｓ３の処理を行うためのプログラムを記録部１３に予め記録しているが、プログラムは、ＣＤ−ＲＯＭ等の、コンピュータ読み取り可能であって一時的でない有形の記録媒体（図示せず）から演算装置１０にインストールしてもよいし、演算装置１０をインターネット２０と接続し、インターネット２０を介して例えば外部サーバ３０からプログラムをダウンロードしてインストールしてもよい。
【００４９】
上記実施の形態では、国情報データ３１、音声情報データ３２および音声データ３３は演算装置１０の記録部１３に予め記録されているが、これら国情報データ３１、音声情報データ３２および音声データ３３は、演算装置１０の外部の外部サーバ３０に記録されて、インターネット２０を介して演算装置１０に取り込まれてもよい。
【００５０】
上記実施の形態では、入力部１６と表示部１７とは一体化されてタッチパネル式の表示装置として実現されているが、入力部１６をキーボードまたはマウス等で構成し、表示部１７を液晶ディスプレイ等で構成してもよい。
【符号の説明】
【００５１】
１Ｒ    読み札（文字札）
１Ｔ    取り札（絵札）
ＮＦ    国旗
ＩＣ    情報コード
２      国の説明
３      国の位置
４      国名
５      首都
６      面積
７      人口
８      主要言語
９      公用語による文章
１０    演算装置
１１    ＣＰＵ
１２    メモリ
１３    記録部
１４    バス
１５    インタフェース部（Ｉ／Ｆ部）
１６    入力部
１６ａ、１６ｂ、１６ｃ      再生ボタン
１７    表示部
１８    撮像部
１９    スピーカ
２０    インターネット
２１    情報コード読取部
２２    関連情報取得部
２３    関連情報提供部
３０    外部サーバ
３１    国情報データ
３２    音声情報データ
３３    音声データ
１００  ユーザ装置
【図１】
2017164407.tif 000003
【図２】
2017164407.tif 000004
【図３】
2017164407.tif 000005
【図４】
2017164407.tif 000006
【図５】
2017164407.tif 000007
【図６】
2017164407.tif 000008
【図７】
2017164407.tif 000009
【図８】
2017164407.tif 000010
【図９】
2017164407.tif 000011